(57)【要約】【課題】計測精度を高めることができる脈拍計測素子を得る。【解決手段】本開示の脈拍計測素子は、筺体と、発光素子と、受光素子と、発光素子と対向する第１の端面と、第１の端面と対向するとともに受光素子と対向する第２の端面と、筺体に覆われた１または複数の第１の側面と、筺体から露出された１または複数の第２の側面とを有する導光体とを備える。上記導光体は、筐体と係合し、筐体から取り外し可能である。【選択図】図２
2020192394.tif 000002
【特許請求の範囲】
【請求項１】
筺体と、
発光素子と、
受光素子と、
前記発光素子と対向する第１の端面と、前記第１の端面と対向するとともに前記受光素子と対向する第２の端面と、前記筺体に覆われた１または複数の第１の側面と、前記筺体から露出された１または複数の第２の側面とを有する導光体と
を備え、
前記導光体は、前記筐体と係合し、前記筐体から取り外し可能である
脈拍計測素子。
【請求項２】
前記筺体は、前記導光体を前記１または複数の第２の側面の面内の所定方向にスライド可能に構成された
請求項１に記載の脈拍計測素子。
【請求項３】
前記１または複数の第１の側面と対向する前記筺体の内面の形状は、前記１または複数の第１の側面の形状に対応している
請求項１または請求項２に記載の脈拍計測素子。
【請求項４】
前記１または複数の第１の側面は、前記筺体の内面と離間する第３の側面を含む
請求項１から請求項３のいずれか一項に記載の脈拍計測素子。
【請求項５】
前記第３の側面と前記筺体の内面との間には空隙が設けられている
請求項４に記載の脈拍計測素子。
【請求項６】
前記第３の側面と前記筺体の内面との間に設けられた１または複数のスペーサをさらに備えた
請求項５に記載の脈拍計測素子。
【請求項７】
前記１または複数の第１の側面は、前記筺体の内面と接触する第４の側面を含む
請求項５に記載の脈拍計測素子。
【請求項８】
前記第３の側面と前記筺体の内面との間に設けられ、前記導光体の屈折率よりも小さい屈折率を有する光学部材をさらに備えた
請求項４に記載の脈拍計測素子。
【請求項９】
前記導光体および前記筺体は、弾性樹脂により構成された
請求項１から請求項８のいずれか一項に記載の脈拍計測素子。
【請求項１０】
前記発光素子および前記受光素子は、前記筺体内において固定されている
請求項１から請求項９のいずれか一項に記載の脈拍計測素子。
【請求項１１】
筺体と、発光素子と、受光素子と、前記発光素子と対向する第１の端面と、前記第１の端面と対向するとともに前記受光素子と対向する第２の端面と、前記筺体に覆われた１または複数の第１の側面と、前記筺体から露出された１または複数の第２の側面とを有する導光体とを含む脈拍計測素子と、
前記受光素子における受光量に基づいてユーザの脈拍情報を生成する信号処理部と
を備え、
前記導光体は、前記筐体と係合し、前記筐体から取り外し可能である
脈拍計測装置。
【請求項１２】
筺体と、発光素子と、受光素子と、前記発光素子と対向する第１の端面と、前記第１の端面と対向するとともに前記受光素子と対向する第２の端面と、前記筺体に覆われた１または複数の第１の側面と、前記筺体から露出された１または複数の第２の側面とを有する導光体とを含む脈拍計測素子と、
前記受光素子における受光量に基づいてユーザの脈拍情報を生成する信号処理部と
前記脈拍情報を用いて所定の処理を行う処理部と
を備え、
前記導光体は、前記筐体と係合し、前記筐体から取り外し可能である
電子機器。
【発明の詳細な説明】
【技術分野】
【０００１】
本開示は、脈拍の計測に用いられる脈拍計測素子および脈拍計測装置、ならびにそのような脈拍計測素子を備えた電子機器に関する。
【背景技術】
【０００２】
脈拍計測技術の１つに、光電容積脈波（ＰＰＧ；Photoplethysmography）方式がある。
この光電容積脈波方式は、血中のヘモグロビンが光を吸収する性質を利用して血管の容積の変化を測定するものである。例えば、特許文献１，２には、発光素子から出射された光を、導光体を介して受光素子に導くように構成された脈拍計測装置が開示されている。この脈拍計測装置では、人体を導光体に接触させたときの、受光素子における受光量の変化に基づいて、脈拍情報を生成するようになっている。
【先行技術文献】
【特許文献】
【０００３】
【特許文献１】特開２０１２−１７６２２５号公報
【特許文献２】特開２０１５−９３１６３号公報
【発明の概要】
【０００４】
一般に、計測装置では、計測精度が高いことが望まれる。しかしながら、上述した特許文献１，２には、発光素子、導光体、および受光素子をどのように筺体内に配置するのかが不明であり、その配置によっては計測精度が低くなるおそれがある。
【０００５】
計測精度を高めることができる脈拍計測素子、脈拍計測装置、および電子機器を提供することにある。
【０００６】
本開示の一実施の形態における脈拍計測素子は、筺体と、発光素子と、受光素子と、導光体とを備えている。導光体は、発光素子と対向する第１の端面と、第１の端面と対向するとともに受光素子と対向する第２の端面と、筺体に覆われた１または複数の第１の側面と、筺体から露出された１または複数の第２の側面とを有するものである。上記導光体は、筐体と係合し、筐体から取り外し可能である。
【０００７】
本開示の一実施の形態における脈拍計測装置は、脈拍計測素子と、信号処理部とを備えている。脈拍計測素子は、筺体と、発光素子と、受光素子と、導光体とを有している。導光体は、発光素子と対向する第１の端面と、第１の端面と対向するとともに受光素子と対向する第２の端面と、筺体に覆われた１または複数の第１の側面と、筺体から露出された１または複数の第２の側面とを含んでいる。信号処理部は、受光素子における受光量に基づいてユーザの脈拍情報を生成するものである。上記導光体は、筐体と係合し、筐体から取り外し可能である。
【０００８】
本開示の一実施の形態における電子機器は、脈拍計測素子と、信号処理部と、処理部とを備えている。脈拍計測素子は、筺体と、発光素子と、受光素子と、導光体とを有している。導光体は、発光素子と対向する第１の端面と、第１の端面と対向するとともに受光素子と対向する第２の端面と、筺体に覆われた１または複数の第１の側面と、筺体から露出された１または複数の第２の側面とを含んでいる。信号処理部は、受光素子における受光量に基づいてユーザの脈拍情報を生成するものである。処理部は、脈拍情報を用いて所定の処理を行うものである。上記導光体は、筐体と係合し、筐体から取り外し可能である。
【０００９】
本開示の一実施の形態における脈拍計測素子、脈拍計測装置、および電子機器では、発光素子から出射された光が第１の端面を介して導光体に入射される。また、導光体の第２の端面を介して出射された光は受光素子により受光される。導光体の１または複数の第１の側面は筺体に覆われ、１または複数の第２の側面は筺体から露出される。そして、導光体は、筐体と係合し、筐体から取り外し可能である。
【００１０】
本開示の一実施の形態における脈拍計測素子、脈拍計測装置、および電子機器によれば、導光体の１または複数の第１の側面が筺体に覆われ、１または複数の第２の側面が筺体から露出されるようにしたので、計測精度を高めることができる。なお、ここに記載された効果は必ずしも限定されるものではなく、本開示中に記載されたいずれの効果があってもよい。
【図面の簡単な説明】
【００１１】
【図１】本開示の一実施の形態に係る脈拍計測装置の一構成例を表すブロック図である。
【図２】第１の実施の形態に係る脈拍計測素子の一構成例を表す断面図である。
【図３】図１に示した脈拍計測素子の一動作例を表す説明図である。
【図４Ａ】図１に示した脈拍計測素子の一動作例を表す説明図である。
【図４Ｂ】図１に示した脈拍計測素子の一動作例を表す説明図である。
【図５】第１の実施の形態の変形例に係る脈拍計測素子の一動作例を表す説明図である。
【図６】第１の実施の形態の変形例に係る脈拍計測素子の一動作例を表す説明図である。
【図７】第１の実施の形態の変形例に係る脈拍計測素子の一構成例を表す断面図である。
【図８】第１の実施の形態の変形例に係る脈拍計測素子の一構成例を表す断面図である。
【図９Ａ】第１の実施の形態の変形例に係る脈拍計測素子の一構成例を表す断面図である。
【図９Ｂ】第１の実施の形態の変形例に係る脈拍計測素子の一構成例を表す断面図である。
【図９Ｃ】第１の実施の形態の変形例に係る脈拍計測素子の一構成例を表す断面図である。
【図９Ｄ】第１の実施の形態の変形例に係る脈拍計測素子の一構成例を表す断面図である。
【図９Ｅ】第１の実施の形態の変形例に係る脈拍計測素子の一構成例を表す断面図である。
【図９Ｆ】第１の実施の形態の変形例に係る脈拍計測素子の一構成例を表す断面図である。
【図９Ｇ】第１の実施の形態の変形例に係る脈拍計測素子の一構成例を表す断面図である。
【図９Ｈ】第１の実施の形態の変形例に係る脈拍計測素子の一構成例を表す断面図である。
【図１０】第２の実施の形態に係る脈拍計測素子の一構成例を表す断面図である。
【図１１Ａ】第２の実施の形態の変形例に係る脈拍計測素子の一構成例を表す断面図である。
【図１１Ｂ】第２の実施の形態の変形例に係る脈拍計測素子の一構成例を表す断面図である。
【図１１Ｃ】第２の実施の形態の変形例に係る脈拍計測素子の一構成例を表す断面図である。
【図１２】第３の実施の形態に係る脈拍計測素子の一構成例を表す断面図である。
【図１３】実施の形態を適用した腕時計の外観構成を表す斜視図である。
【図１４】変形例に係る脈拍計測素子の一構成例を表す断面図である。
【発明を実施するための形態】
【００１２】
以下、本開示の実施の形態について、図面を参照して詳細に説明する。なお、説明は以下の順序で行う。
１．第１の実施の形態
２．第２の実施の形態
３．第３の実施の形態
４．適用例
【００１３】
＜１．第１の実施の形態＞
［構成例］
図１は、第１の実施の形態に係る脈拍計測装置（脈拍計測装置１）の一構成例を表すものである。脈拍計測装置１は、脈拍計測素子１０と、制御部８と、信号処理部９とを備えている。
【００１４】
脈拍計測素子１０は、発光素子１１と、導光体１２と、受光素子１３とを有している。発光素子１１は、例えばＬＥＤ（Light Emitting Diode）を用いて構成されるものであり、制御部８による制御に基づいて光を出射するものである。光の波長は、可視領域の波長であってもよいし、近赤外または赤外領域の波長であってもよい。導光体１２は、例えばアクリル樹脂を用いて構成されるものであり、発光素子１１から出射された光を受光素子１３に導くものである。受光素子１３は、例えばＰＤ（Photo Diode）を用いて構成されるものであり、導光体１２により導かれた光を受光するとともに、その受光量に応じた受光信号Ｓ１を信号処理部９に供給するものである。
【００１５】
信号処理部９は、受光素子１３から供給された受光信号Ｓ１に基づいて所定の信号処理を行うことにより、脈拍情報Ｓ２を生成するものである。制御部８は、発光素子１１、受光素子１３、および信号処理部９に制御信号を供給することにより、脈拍計測装置１の動作を制御するものである。
【００１６】
この構成により、脈拍計測装置１では、後述するように、人体を導光体１２に接触させたときの受光素子１３における受光量の変化に基づいて、脈拍情報Ｓ２を生成するようになっている。
【００１７】
図２は、脈拍計測素子１０の一構成例を表すものであり、（Ａ）は、（Ｂ）におけるＩ−Ｉ矢視方向の断面図を示し、（Ｂ）は、（Ａ）におけるＩＩ−ＩＩ矢視方向の断面図を示す。
【００１８】
導光体１２は、この例では、ＸＹ面内においてアルファベット“Ｔ”のような断面形状を有するとともに、Ｚ方向に延伸するものである。発光素子１１は、図２（Ｂ）に示したように、導光体１２の一方の端面１２Ａと対向する位置に設けられており、受光素子１３は、導光体１２の他方の端面１２Ｂと対向する位置に設けられている。これにより、発光素子１１から出射された光は、導光体１２の端面１２Ａから導光体１２の内部に入射し、導光体１２の内部を進行して端面１２Ｂに到達し、受光素子１３により受光されるようになっている。
【００１９】
発光素子１１、導光体１２、および受光素子１３は、筺体１９に収められている。筺体１９は、例えば金属やプラスチックなどにより構成することができる。この筺体１９は、図２（Ａ）に示したように、ＸＹ面内において、導光体１２の断面形状と同様の形状を有する空洞を有しており、これにより、導光体１２は筺体１９に係合するように収められている。脈拍計測素子１０では、導光体１２の側面（ＸＹ面と交差する面）のうち、導光体１２の側面Ｓが露出され、その他の側面は筺体１９に覆われている。これにより、人体が導光体１２の側面Ｓに接触することができるようになっている。
【００２０】
筺体１９の導光体１２と対向する面には複数のスペーサ１８が形成されている。この例では、複数のスペーサ１８は、筺体１９と一体形成されている。スペーサ１８は、ＸＹ面内において三角形の断面形状を有するとともに、Ｚ方向に延伸しており、小さい接触面積で導光体１２に接触している。これらのスペーサ１８により、筺体１９と導光体１２との間には、空隙１７が形成される。この空隙１７における空気の屈折率は、導光体１２の屈折率よりも低い。よって、脈拍計測素子１０では、発光素子１１から出射された光のうちの一部は、導光体１２内を進行する際、導光体１２の界面で全反射することができるようになっている。
【００２１】
また、この例では、脈拍計測素子１０は、図３に示したように、筺体１９の一部（開閉部分１９Ｃ）がヒンジ１９Ｂにより開閉できるようになっている。そして、閉じた場合には、図示しない固定部材により、筺体１９の一部（開閉部分１９Ｃ）が筺体１９の本体に固定され、容易に開かないようになっている。このような固定部材は、例えば、一方に設けられた凸部と他方に設けられた凹部が噛み合うはめ込み構造を用いることができる。また、開かないようにネジで固定してもよい。脈拍計測素子１０では、筺体１９の開閉部分１９Ｃを開き、導光体１２をＺ方向にスライドさせることにより、導光体１２を取り外することができる。これにより、脈拍計測素子１０では、例えば導光体１２の側面Ｓが汚れたり、この側面Ｓに傷が生じたり皮脂がついたりした場合に、導光体１２を交換することができる。その結果、脈拍計測装置１では、計測精度を高めることができるようになっている。
【００２２】
［動作および作用］
続いて、本実施の形態の脈拍計測装置１の動作および作用について説明する。
【００２３】
（全体動作概要）
まず、図１を参照して、脈拍計測装置１の全体動作概要を説明する。発光素子１１は、制御部８による制御に基づいて光を出射する。導光体１２は、発光素子１１から出射された光を受光素子１３に導く。受光素子１３は、導光体１２により導かれた光を受光するとともに、その受光量に応じた受光信号Ｓ１を信号処理部９に供給する。信号処理部９は、受光素子１３から供給された受光信号Ｓ１に基づいて所定の信号処理を行うことにより、脈拍情報Ｓ２を生成する。制御部８は、脈拍計測装置１の動作を制御する。
【００２４】
（詳細動作）
図４Ａ，４Ｂは、脈拍計測素子１０の一動作例を表すものであり、図４Ａは、人体が脈拍計測素子１０に接触していない場合を示し、図４Ｂは、人体が脈拍計測素子１０に接触している場合を示す。ここで、光Ｌ１，Ｌ２は、全反射条件を満たす方向に進行する光である。
【００２５】
発光素子１１から出射した光Ｌ１は、この例では、界面で全反射しながら導光体１２内を進行する。人体が脈拍計測素子１０に接触していない場合（図４Ａ）には、光Ｌ１は、導光体１２の界面で全反射しながら導光体１２内を進行し、受光素子１３により受光される。
【００２６】
一方、人体が脈拍計測素子１０に接触している場合（図４Ｂ）には、導光体１２内を進行する光は、接触面ＳＴを介して人体ＨＢに入射する。すなわち、このように人体ＨＢが導光体１２に接触している場合には、その接触面ＳＴでは、全反射の条件を満たさなくなるため、光は全反射せず人体ＨＢに入射する。人体ＨＢに入射した光の一部は、人体ＨＢの毛細血管に流れる血液に含まれるヘモグロビンに吸収される。また、人体ＨＢに入射した光の一部は、人体ＨＢ内において散乱される。そして、散乱された光の一部は接触面ＳＴを介して導光体１２に再度入射する。導光体１２に再度入射した光の一部（光Ｌ２）は、導光体１２の界面で全反射しながら導光体１２内を進行し、受光素子１３により受光される。このように、人体ＨＢに入射した光の一部はヘモグロビンにより吸収されるため、受光素子１３における受光量は、毛細血管の容積に応じた量になる。受光素子１３は、その受光量に応じた受光信号Ｓ１を生成する。そして、信号処理部９は、その受光信号Ｓ１に基づいて所定の信号処理を行うことにより、脈拍情報Ｓ２を生成する。脈拍計測装置１は、このようにして脈拍を計測する。
【００２７】
このように、脈拍計測装置１では、導光体１２の側面Ｓを露出するとともに、それ以外の面を覆う筺体１９を設けるようにした。そして、脈拍計測装置１では、複数のスペーサ１８を設け、筺体１９と導光体１２との間に空隙１７を形成した。これにより、発光素子１１から出射した光Ｌ１が導光体１２内を進行する際、側面Ｓ以外の側面において光を全反射させることができるとともに、側面Ｓにおける接触面ＳＴ以外の領域においても光を全反射させることができる。これにより、脈拍計測装置１では、発光素子１１から出射された光や、人体ＨＢ内において散乱され導光体１２に再度入射した光を効果的に受光素子１３に導くことができるので、計測精度を高めることができる。
【００２８】
また、脈拍計測装置１では、導光体１２を、筺体１９に係合するように構成した。具体的には、導光体１２を、ＸＹ面内においてアルファベット“Ｔ”のような断面形状を有するように構成するとともに、筺体１９を、同じアルファベット“Ｔ”のような形状の空洞を有するように構成した。これにより、シンプルな構成で、導光体１２を筺体１９内に固定し、外れにくくすることができる。
【００２９】
また、脈拍計測装置１では、導光体１２を交換可能に構成したので、例えば導光体１２の側面Ｓが汚れたり、この側面Ｓに傷が生じたり皮脂がついたりした場合に、導光体１２を交換することができる。その結果、脈拍計測装置１では、計測精度を高めることができるようになっている。
【００３０】
［効果］
以上のように本実施の形態では、導光体の側面Ｓを露出するとともに、それ以外の面を覆う筺体を設けるとともに、複数のスペーサを設け、筺体と導光体との間に空隙を形成したので、計測精度を高めることができる。
【００３１】
本実施の形態では、導光体を、筺体に係合するように構成したので、シンプルな構成で、導光体を筺体内に固定し、外れにくくすることができる。
【００３２】
本実施の形態では、導光体を交換可能に構成したので、計測精度を高めることができる。
【００３３】
［変形例１−１］
上記実施の形態において、導光体１２および筺体１９を、弾性樹脂を用いて構成してもよい。これにより、図５に示したように、脈拍計測素子１０を、人体の接触させる部位に合わせて湾曲させることができ、接触面積を広くすることができる。その結果、人体の腕、足、首などの様々な部位に接触させて脈拍測定を行うことができる。このような導光体１２は、例えばシリコン樹脂やアートン樹脂などを用いて構成することができる。また、このような筺体１９は、例えばウレタン樹脂や軟性エポキシ樹脂などを用いて構成することができる。
【００３４】
［変形例１−２］
上記実施の形態では、ヒンジ１９Ｂを設け、筺体１９の一部（開閉部分１９Ｃ）が開閉できるようにしたが、これに限定されるものではない。例えば、ヒンジ１９Ｂを設けず、筺体１９の本体と一部（開閉部分１９Ｃ）とを分離可能に構成してもよい。また、例えば、図６に示したように、筺体１９の本体と、一部（開閉部分１９Ｃ）とを、軟質材料により構成された接続部材１９Ｄを用いて接続するようにしてもよい。この例では、筺体１９には、接続部材１９Ｄを収容するための穴が設けられている。そして、筺体１９の本体と一部（開閉部分１９Ｃ）とを結合した場合には、この接続部材１９Ｄは、筺体１９に設けられた穴に収容される。
【００３５】
［変形例１−３］
上記実施の形態では、スペーサ１８を、ＸＹ面内において三角形の断面形状を有するとともに、Ｚ方向に延伸するように構成したが、これに限定されるものではない。例えば、図７に示したように、円錐のような形状を有するスペーサ１８を用いてもよい。この例では、Ｚ方向において、スペーサ１８をランダムに配置している。なお、これに限定されるものではなく、Ｚ方向において、スペーサ１８を等間隔で配置してもよい。また、例えば、図８に示したように、半球のような形状を有するスペーサ１８を用いてもよい。
【００３６】
［変形例１−４］
上記実施の形態では、導光体１２が、ＸＹ面内においてアルファベット“Ｔ”のような断面形状を有するようにしたが、これに限定されるものではない。例えば、図９Ａに示すように、導光体１２が、台形の断面形状を有するようにしてもよい。この台形の下辺は、側面Ｓに対応しており、下辺の長さは上辺の長さよりも短くなっている。筺体１９は、導光体１２の断面形状と同様の形状を有する空洞を有しており、導光体１２は筺体１９に係合するように収められている。この構成でも、導光体１２を筺体１９内に固定することができ、導光体１２を外れにくくすることができる。
【００３７】
同様に、例えば、図９Ｂに示すように、導光体１２が、ＸＹ面内において円の一部を切り落としたような断面形状を有するようにしてもよい。この円の切り落とした部分が側面Ｓに対応している。また、例えば、図９Ｃに示すように、導光体１２が、複数の長方形を結合した形状の断面形状を有するようにしてもよい。この形状の下辺は、側面Ｓに対応しており、下辺の長さは上辺の長さよりも短くなっている。また、例えば、図９Ｄに示すように、導光体１２が、六角形の断面形状を有するようにしてもよい。この六角形の一辺が側面Ｓに対応している。また、例えば、図９Ｅに示すように、導光体１２が、十字形の断面形状を有するようにしてもよい。この十字形の一部が側面Ｓに対応している。
【００３８】
また、例えば、図９Ｆに示すように、導光体１２が、アルファベット“Ｕ”の角を尖らせたような断面形状を有するようにしてもよい。この“Ｕ”の字の内側に筺体１９の一部が配置されることにより、導光体１２が筺体１９に係合する。この例では、“Ｕ”の字の両端の２つの部分が側面Ｓに対応している。また、例えば、図９Ｇに示すように、導光体１２が、半円弧のような断面形状を有するようにしてもよい。この半円弧の内側に筺体１９の一部が配置されることにより、導光体１２が筺体１９に係合する。この例では、半円弧の両端の２つの部分が側面Ｓに対応している。また、例えば、図９Ｈに示すように、導光体１２が、中央部に中空領域がある四角形のような断面形状を有するようにしてもよい。この中空領域に筺体１９の一部が配置されることにより、導光体１２が筺体１９に係合する。この例では、四角形の下辺が側面Ｓに対応している。
【００３９】
［その他の変形例］
また、これらの変形例のうちの２以上を組み合わせてもよい。
【００４０】
＜２．第２の実施の形態＞
次に、第２の実施の形態に係る脈拍計測装置２について説明する。本実施の形態は、空隙１７を設ける方法が、上記第１の実施の形態と異なるものである。すなわち、上記第１の実施の形態（図２）では、スペーサ１８を用いて空隙１７を設けるようにしたが、これに代えて、本実施の形態では、スペーサ１８を用いることなく空隙を設けるようにしている。なお、上記第１の実施の形態に係る脈拍計測装置１と実質的に同一の構成部分には同一の符号を付し、適宜説明を省略する。
【００４１】
図１０は、脈拍計測装置２の脈拍計測素子２０の一構成例を表すものであり、（Ａ）は、（Ｂ）におけるＩＩＩ−ＩＩＩ矢視方向の断面図を示し、（Ｂ）は、（Ａ）におけるＩＶ−ＩＶ矢視方向の断面図を示す。脈拍計測素子２０は、発光素子１１と、導光体２２と、受光素子１３とを有している。発光素子１１、導光体２２、および受光素子１３は、筺体２９に収められている。
【００４２】
導光体２２は、本体部２２Ａと、支持部２２Ｂ，２２Ｃとを有している。本体部２２Ａは、ＸＹ面において四角形の断面形状を有しており、支持部２２Ｂ，２２Ｃは台形の断面形状を有している。支持部２２Ｂ，２２Ｃは、図１０（Ａ）に示したように、本体部２２Ａの左右にそれぞれ配置されている。支持部２２Ｂ，２２Ｃは、筺体２９の内面と接触している。このように、脈拍計測素子２０では、支持部２２Ｂ，２２Ｃが筺体２９の内面に接触することにより、導光体２２が支持され、その結果、本体部２２Ａと筺体２９との間に空隙２７が生じるようになっている。
【００４３】
このように、脈拍計測装置２では、筺体２９の内面と接することにより導光体２２を支持する支持部２２Ｂ，２２Ｃを設けるようにした。特に、脈拍計測装置２では、上記第１の実施の形態に係る導光体１２と異なり、本体部２２Ａにスペーサがないため、全反射により光を効果的に受光素子１３に導くことができるので、計測精度を高めることができる。
【００４４】
以上のように本実施の形態では、筺体の内面と接することにより導光体を支持する支持部を設けるようにしたので、計測精度を高めることができる。
【００４５】
［変形例２−１］
上記実施の形態では、支持部２２Ｂ，２２Ｃが、ＸＹ面において台形の断面形状を有するものとしたが、これに限定されるものではない。これに代えて、図１１Ａに示すように、円形のうちの一部を切り落としたような断面形状を有するようにしてもよい。この例では、支持部２２Ｂ，２２Ｃに中空領域を設け、その中空領域に筺体２９の一部が配置されるようにしている。また、図１１Ｂに示すように、四角形の断面形状を有するようにしてもよい。この例でも、支持部２２Ｂ，２２Ｃに中空領域を設け、その中空領域に筺体２９の一部が配置されるようにしている。なお、これに限定されるものではなく、支持部２２Ｂ，２２Ｃに中空領域を設けなくてもよい。また、これらの例では、本体部２２Ａの左右に２つの支持部２２Ｂ，２２Ｃを設けたが、これに限定されるものではなく、これに代えて、例えば、図１１Ｃに示すように、１つの支持部２２Ｄを設けてもよい。この例では、本体部２２Ａの上側に支持部２２Ｄを設けたが、これに限定されるものではなく、これに代えて、本体部２２Ａの左側に支持部２２Ｄを設けてもよいし、本体部２２Ａの右側に支持部２２Ｄを設けてもよい。
【００４６】
＜３．第３の実施の形態＞
次に、第３の実施の形態に係る脈拍計測装置３について説明する。本実施の形態は、導光体と筺体との間に、導光体よりも屈折率が低い光学部材を配置したものである。なお、上記第１の実施の形態に係る脈拍計測装置１と実質的に同一の構成部分には同一の符号を付し、適宜説明を省略する。
【００４７】
図１２は、脈拍計測装置３の脈拍計測素子３０の一構成例を表すものであり、（Ａ）は、（Ｂ）におけるＶ−Ｖ矢視方向の断面図を示し、（Ｂ）は、（Ａ）におけるＶＩ−ＶＩ矢視方向の断面図を示す。脈拍計測素子３０は、発光素子１１と、導光体３２と、受光素子１３とを有している。発光素子１１、導光体３２、および受光素子１３は、筺体３９に収められている。
【００４８】
導光体３２と筺体３９の内面との間には、光学部材３７が設けられている。この光学部材３７は、その屈折率が導光体３２の屈折率よりも低いものである。例えば、屈折率が１．４９のアクリル樹脂を用いて導光体３２を構成した場合には、屈折率が１．３４のフッ素樹脂を用いて光学部材３７を構成することができる。これにより、発光素子１１から出射した光が導光体３２内を進行する際、導光体３２の界面において光を全反射させることができる。
【００４９】
このように、脈拍計測装置３では、導光体３２と筺体３９の内面との間に、導光体３２の屈折率よりも低い屈折率を有する光学部材３７を設けるようにした。特に、脈拍計測装置３では、上記第１の実施の形態に係る導光体１２と異なり、スペーサがないため、全反射により光を効果的に受光素子１３に導くことができるので、計測精度を高めることができる。
【００５０】
以上のように本実施の形態では、導光体と筺体の内面との間に、導光体の屈折率よりも低い屈折率を有する光学部材を設けるようにしたので、計測精度を高めることができる。
【００５１】
＜４．適用例＞
次に、上記実施の形態および変形例で説明した脈拍計測装置の適用例について説明する。
【００５２】
図１３は、上記実施の形態等の脈拍計測装置が適用される腕時計の外観を表すものである。この腕時計は、例えば、文字盤１１０と、バンド部１２０とを有している。この文字盤１１０の裏側の、ユーザの腕と接触する面には、上記実施の形態等に係る脈拍計測装置が搭載されている。
【００５３】
上記実施の形態等の脈拍計測装置は、このような腕時計の他、リストバンド、眼鏡、指輪など、ユーザが身につける様々なものに適用することが可能であり、これにより、脈拍を計測可能なウェアラブル端末を構成することができる。
【００５４】
以上、いくつかの実施の形態および変形例、ならびにそれらの具体的な応用例および電子機器への適用例を挙げて本技術を説明したが、本技術はこれらの実施の形態等には限定されず、種々の変形が可能である。
【００５５】
例えば、上記の各実施の形態では、導光体を交換可能に構成したが、その際、図１４に示すように、導光体１２に突起部１２Ｄを設けることにより、筺体１９から導光体１２を引き出しやすくしてもよい。なお、この例では、第１の実施の形態に係る脈拍計測素子１０に本変形例を適用したが、第２の実施の形態に係る脈拍計測素子２０および第３の実施の形態に係る脈拍計測素子３０にも適用することができる。
【００５６】
なお、本明細書に記載された効果はあくまで例示であって限定されるものでは無く、また他の効果があってもよい。
【００５７】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2020192394.tif 000003
【図２】
2020192394.tif 000004
【図３】
2020192394.tif 000005
【図４Ａ】
2020192394.tif 000006
【図４Ｂ】
2020192394.tif 000007
【図５】
2020192394.tif 000008
【図６】
2020192394.tif 000009
【図７】
2020192394.tif 000010
【図８】
2020192394.tif 000011
【図９Ａ】
2020192394.tif 000012
【図９Ｂ】
2020192394.tif 000013
【図９Ｃ】
2020192394.tif 000014
【図９Ｄ】
2020192394.tif 000015
【図９Ｅ】
2020192394.tif 000016
【図９Ｆ】
2020192394.tif 000017
【図９Ｇ】
2020192394.tif 000018
【図９Ｈ】
2020192394.tif 000019
【図１０】
2020192394.tif 000020
【図１１Ａ】
2020192394.tif 000021
【図１１Ｂ】
2020192394.tif 000022
【図１１Ｃ】
2020192394.tif 000023
【図１２】
2020192394.tif 000024
【図１３】
2020192394.tif 000025
【図１４】
2020192394.tif 000026